(57)【要約】【課題】昇降式のトレイの上昇時に指が挟まれにくいカップホルダを提供する。【解決手段】カップホルダ１０は、飲料容器を収容する収容空間１１ａを有する筒状のホルダ本体としてのリテーナ１１と、リテーナ１１の収容空間１１ａに収容された飲料容器を支持するとともに収容空間１１ａを上昇位置Ｐ１と下降位置との間で昇降可能なトレイ１２と、リテーナ１１の収容空間１１ａに設けられトレイ１２が上昇位置Ｐ１に向けて上昇するときにこのトレイ１２に干渉する干渉部材１７と、を備え、トレイ１２は、干渉部材１７との干渉による抵抗を受けながら上昇位置Ｐ１まで上昇するように構成されている。【選択図】図１
2019073186.tif 000002
【特許請求の範囲】
【請求項１】
飲料容器を収容する収容空間を有する筒状のホルダ本体と、
上記ホルダ本体の上記収容空間に収容された上記飲料容器を支持するとともに、上記収容空間を上昇位置と下降位置との間で昇降可能なトレイと、
上記ホルダ本体の上記収容空間に設けられ、上記トレイが上記上昇位置に向けて上昇するときにこのトレイに干渉する干渉部材と、
を備え、
上記トレイは、上記干渉部材との干渉による抵抗を受けながら上記上昇位置まで上昇するように構成されている、カップホルダ。
【請求項２】
上記干渉部材は、上記ホルダ本体の内壁面から上記トレイの通過領域まで突出しており、上記通過領域を通過する上記トレイとの干渉時にこのトレイに上記抵抗となる弾性付勢力を付与するように構成されている、請求項１に記載のカップホルダ。
【請求項３】
上記干渉部材は、上記ホルダ本体に当該干渉部材の突出方向とこの突出方向の反対方向との双方向に移動可能に設けられており、弾性部材によって上記突出方向に弾性付勢されている、請求項２に記載のカップホルダ。
【請求項４】
上記干渉部材は、上記トレイが上記下降位置にあるときに突出先端部から上記ホルダ本体の上記内壁面に近づくように斜め下向きに延在する傾斜面と、上記傾斜面を挟んで上記突出先端部とは反対側に位置する回動点と、を有し、上記ホルダ本体に上記回動点を中心に上記突出方向と上記反対方向との双方向に回動可能に設けられており、
上記トレイは、上記上昇位置に向けて上昇するときに上記干渉部材の上記傾斜面を上記突出先端部に向けて摺動する一方で、上記干渉部材は、上記トレイから受ける荷重によって上記弾性部材の弾性付勢力に抗して上記回動点を中心に上記反対方向へ回動するように構成されている、請求項３に記載のカップホルダ。
【請求項５】
上記干渉部材は、上記トレイが上記下降位置に向けて下降するとき、上記トレイを上記弾性部材の弾性付勢力によって押圧することを利用してこのトレイを下向きに付勢するように構成されている、請求項４に記載のカップホルダ。
【請求項６】
上記干渉部材は、上記ホルダ本体の上記収容空間に上記飲料容器が収容された状態で上記トレイが上記下降位置に向けて下降するとき、上記トレイから外れて上記飲料容器の側面を上記弾性部材の弾性付勢力によって押圧するように構成されている、請求項４または５に記載のカップホルダ。
【請求項７】
上記干渉部材は、上記トレイの上記下降位置と上記上昇位置との間に設定された干渉開始位置において上記上昇位置に向けて上昇する上記トレイとの干渉を開始し、上記トレイは、上記干渉部材との干渉前の上昇速度を下回る低速度域で上記上昇位置まで上昇するように構成されている、請求項１〜６のいずれか一項に記載のカップホルダ。
【請求項８】
上記トレイを上記下降位置でロックするロック部材と、上記ロック部材による上記トレイのロックを解除するために手動で操作される操作部材と、を備え、上記操作部材が上記ホルダ本体の上記収容空間において上記干渉開始位置よりも高所に配置されている、請求項７に記載のカップホルダ。
【請求項９】
車両のコンソールパネルに組付けられるものであり、上記コンソールパネルに設けられた上面開口に上記ホルダ本体の上記収容空間が臨むとともに、上記トレイが上記上昇位置において上記コンソールパネルの上記上面開口を塞ぐ蓋となるように構成されている、請求項１〜８のいずれか一項に記載のカップホルダ。
【発明の詳細な説明】
【技術分野】
【０００１】
本発明は、カップホルダに関する。
【背景技術】
【０００２】
従来、自動車などの車両には、飲料容器を収容するためのカップホルダが設けられている。例えば、下記の特許文献１には、筒状のホルダ本体によって区画される収容空間において飲料容器を支持するトレイが昇降動作するように構成された昇降式のカップホルダが開示されている。
このカップホルダにおいて、トレイは、ホルダ本体の収容空間に飲料容器が収容されるときに上昇位置から下降位置へと下降し、飲料容器が収容空間から取出されたときに下降位置から上昇位置へと上昇させることが可能な昇降式のトレイとして構成されている。
【先行技術文献】
【特許文献】
【０００３】
【特許文献１】特開２０１１−１１１０７２号公報
【発明の概要】
【発明が解決しようとする課題】
【０００４】
ところで、上記のような昇降式のトレイを有するカップホルダにおいては、ユーザの指がホルダ本体の収容空間に入った状態でトレイが下降位置から上昇位置へと上昇すると、ホルダ本体とトレイとの間で指が挟まれるおそれがある。
【０００５】
特に、この種のカップホルダとして、下降位置でロックされたトレイのロックを解除するための操作部材を筒状のホルダ本体の内壁面に備えるものが知られている。このようなカップホルダにおいて、ユーザは、操作部材を操作するために指をホルダ本体の収容空間に挿入する必要がある。
従って、例えば操作部材の操作時にホルダ本体の収容空間から指を抜き出す動作が遅れた場合には、ホルダ本体と上昇したトレイとの間で指が挟まれる可能性が高くなる。
【０００６】
本発明は、かかる課題に鑑みてなされたものであり、昇降式のトレイの上昇時に指が挟まれにくいカップホルダを提供しようとするものである。
【課題を解決するための手段】
【０００７】
本発明の一態様は、
飲料容器を収容する収容空間を有する筒状のホルダ本体と、
上記ホルダ本体の上記収容空間に収容された上記飲料容器を支持するとともに、上記収容空間を上昇位置と下降位置との間で昇降可能なトレイと、
上記ホルダ本体の上記収容空間に設けられ、上記トレイが上記上昇位置に向けて上昇するときにこのトレイに干渉する干渉部材と、
を備え、
上記トレイは、上記干渉部材との干渉による抵抗を受けながら上記上昇位置まで上昇するように構成されている、カップホルダ、
にある。
【発明の効果】
【０００８】
上記のカップホルダにおいて、昇降式のトレイが上昇位置に向けて上昇するときにこのトレイに干渉部材が干渉する。このとき、トレイは、干渉部材から抵抗を受けることによってその上昇速度が低く抑えられる。従って、このカップホルダによれば、トレイが上昇位置に達するまでにユーザがホルダ本体の収容空間から指を抜き出す猶予時間が増え、ホルダ本体と上昇したトレイとの間で指が挟まれる可能性を下げることができる。
【０００９】
以上のごとく、上記の態様によれば、昇降式のトレイの上昇時に指が挟まれにくいカップホルダを提供することができる。
【図面の簡単な説明】
【００１０】
【図１】実施形態１にかかる車両用コンソール構造の平面図。
【図２】図１の車両用コンソール構造を斜め上方から視た斜視図。
【図３】図１においてカップホルダのトレイが下降位置にある状態を示す斜視図。
【図４】図１のIV-IV線矢視断面図。
【図５】図４のカップホルダにおいてトレイが外部荷重によって下降位置へ向けて下降を開始したときの様子を示す断面図。
【図６】図５のカップホルダにおいてトレイが下降位置へ向けて下降して干渉部材が飲料容器を保持したときの様子を示す断面図。
【図７】図６のカップホルダを上方から視た平面図。
【図８】図６のカップホルダにおいてトレイが下降位置まで下降したときの様子を示す断面図。
【図９】図８のカップホルダにおいてロック装置のロック解除用の操作部材が操作される様子を示す断面図。
【図１０】図９のカップホルダにおいてトレイが上昇位置へ向けて上昇して干渉部材との干渉を開始したときの様子を示す断面図。
【図１１】図１０のカップホルダにおいてトレイが低速度域で上昇するときの様子を示す断面図。
【図１２】実施形態１の車両用コンソール構造においてトレイの上下方向の高さと時間との関係を示すグラフ。
【図１３】実施形態２のカップホルダについて図４に対応した断面図。
【発明を実施するための形態】
【００１１】
上述の態様の好ましい実施形態について以下に説明する。
【００１２】
上記のカップホルダにおいて、上記干渉部材は、上記ホルダ本体の内壁面から上記トレイの通過領域まで突出しており、上記通過領域を通過する上記トレイとの干渉時にこのトレイに上記抵抗となる弾性付勢力を付与するように構成されているのが好ましい。
【００１３】
このカップホルダによれば、干渉部材からトレイに付与される弾性付勢力を適宜に設定することによって、トレイの上昇速度を調整することができる。
【００１４】
上記のカップホルダにおいて、上記干渉部材は、上記ホルダ本体に当該干渉部材の突出方向とこの突出方向の反対方向との双方向に移動可能に設けられており、弾性部材によって上記突出方向に弾性付勢されているのが好ましい。
【００１５】
このカップホルダによれば、干渉部材がトレイに弾性付勢力を付与するための構造を、弾性部材を用いて簡素化できる。
【００１６】
上記のカップホルダにおいて、上記干渉部材は、上記トレイが上記下降位置にあるときに突出先端部から上記ホルダ本体の上記内壁面に近づくように斜め下向きに延在する傾斜面と、上記傾斜面を挟んで上記突出先端部とは反対側に位置する回動点と、を有し、上記ホルダ本体に上記回動点を中心に上記突出方向と上記反対方向との双方向に回動可能に設けられており、
上記トレイは、上記上昇位置に向けて上昇するときに上記干渉部材の上記傾斜面を上記突出先端部に向けて摺動する一方で、上記干渉部材は、上記トレイから受ける荷重によって上記弾性部材の弾性付勢力に抗して上記回動点を中心に上記反対方向へ回動するように構成されているのが好ましい。
【００１７】
このカップホルダにおいて、トレイは干渉部材の傾斜面を摺動することによってこの傾斜面に沿って抵抗を受けながら上昇する。このため、干渉部材によってトレイに抵抗を与えつつもそのトレイの上昇動作の円滑化を図ることができる。
【００１８】
上記のカップホルダにおいて、上記干渉部材は、上記トレイが上記下降位置に向けて下降するとき、上記トレイを上記弾性部材の弾性付勢力によって押圧することを利用してこのトレイを下向きに付勢するように構成されているのが好ましい。
【００１９】
このカップホルダによれば、トレイが下降位置に向けて下降するときの下降動作を弾性部材の弾性付勢力を利用してアシストすることができる。この場合、トレイを押し下げるのに必要な荷重が少なくてすむためトレイを下降位置に設定し易い。
【００２０】
上記のカップホルダにおいて、上記干渉部材は、上記ホルダ本体の上記収容空間に上記飲料容器が収容された状態で上記トレイが上記下降位置に向けて下降するとき、上記トレイから外れて上記飲料容器の側面を上記弾性部材の弾性付勢力によって押圧するように構成されているのが好ましい。
【００２１】
このカップホルダによれば、トレイが下降位置に向けて下降するときに、ホルダ本体の収容空間に収容された飲料容器を干渉部材によって保持することができる。
【００２２】
上記のカップホルダにおいて、上記干渉部材は、上記トレイの上記下降位置と上記上昇位置との間に設定された干渉開始位置において上記上昇位置に向けて上昇する上記トレイとの干渉を開始し、上記トレイは、上記干渉部材との干渉前の上昇速度を下回る低速度域で上記上昇位置まで上昇するように構成されているのが好ましい。
【００２３】
このカップホルダにおいて、トレイは干渉開始位置よりも下方では上昇速度を低下させることなく上昇する。このため、干渉開始位置から上昇位置までの必要な領域においてのみトレイの上昇速度を低下させることができ、トレイの上昇動作に要する時間が必要以上に増えるのを防ぐことができる。
また、指が挟まれるときに受けるエネルギーはトレイの上昇速度に依存しているため、トレイの上昇速度を干渉部材との干渉によって低下させることによって、干渉部材を使用しない場合に比べてこのエネルギーを低減させることができる。
【００２４】
上記のカップホルダは、上記トレイを上記下降位置でロックするロック部材と、上記ロック部材による上記トレイのロックを解除するために手動で操作される操作部材と、を備え、上記操作部材が上記ホルダ本体の上記収容空間において上記干渉開始位置よりも高所に配置されているのが好ましい。
【００２５】
このカップホルダにおいて、トレイが操作部材に相当する位置まで上昇する前に干渉部材がトレイとの干渉を開始する。このとき、トレイは、その上昇速度が干渉前よりも低下した状態で操作部材に相当する位置を通過する。このため、ユーザは操作部材の操作時にリテーナの収容空間から指を抜き出す動作が遅れた場合であっても、リテーナの収容空間と上昇したトレイとの間で指が挟まれる可能性が低下する。
【００２６】
上記のカップホルダは、車両のコンソールパネルに組付けられるものであり、上記コンソールパネルに設けられた上面開口に上記ホルダ本体の上記収容空間が臨むとともに、上記トレイが上記上昇位置において上記コンソールパネルの上記上面開口を塞ぐ蓋となるように構成されているのが好ましい。
【００２７】
このカップホルダによれば、飲料容器を支持するトレイを、コンソールパネルの上面開口を塞ぐための蓋として兼用することができる。
【００２８】
以下、車両に装着される車両用コンソール構造におけるカップホルダの実施形態について、図面を参照しつつ説明する。
【００２９】
なお、このカップホルダの説明のための図面において、特にことわらない限り、車両前方を矢印Ｘで示し、車両右方を矢印Ｙで示し、車両上方を矢印Ｚで示すものとする。
【００３０】
（実施形態１）
図１〜図３に示されるように、実施形態１にかかる車両用コンソール構造（以下、単に「コンソール構造」という。）１は、車両の運転席と助手席との間に設けられている。このコンソール構造１は、コンソールパネル２と、カップホルダ１０と、を備えている。
【００３１】
コンソールパネル２は、樹脂材料からなる樹脂成形体として構成されている。このコンソールパネル２は、上面がいずれも開口する円形の２つの上面開口３を有する。２つの上面開口３は、車両前後方向について互いに隣接して配置されている。このコンソールパネル２において、２つの上面開口３の右側には、シフトレバー６のレバー軸７が挿通されるレバー開口４と、シフトレバー６のシフト位置を表示するインジケータ５と、が設けられている。
【００３２】
カップホルダ１０は、コンソールパネル２とは別体として準備される。このカップホルダ１０は、コンソールパネル２に組付けられるものであり、この組付けによってコンソールパネル２と一体化されたコンソールモジュールが形成される。このカップホルダ１０は、コンソールパネル２と同様に樹脂材料からなる樹脂成形体として構成されている。このカップホルダ１０を「ドリンクホルダ」ということもできる。
【００３３】
カップホルダ１０は、連結部１３を介して互いに連結されたホルダ本体としての２つのリテーナ１１と、これら２つのリテーナ１１のそれぞれに対してそれぞれ設けられた２つのトレイ１２と、を有する。なお、リテーナ１１の数を必要に応じて１つ或いは３つ以上に変更することもできる。
【００３４】
リテーナ１１は、上面開口３に臨む収容空間１１ａを有する凹状の収容部として構成されている。収容空間１１ａは、ドリンク類やカップ類などの容器（以下、「飲料容器」という。）を収容するための空間である。リテーナ１１は、この収容空間１１ａを区画する筒状の側壁を有する。なお、このリテーナ１１が四角筒状や多角筒状の側壁を有するものであってもよい。
【００３５】
２つのリテーナ１１は、車両前後方向について２つの上面開口３の間隔と同じ間隔で互いに隣接して配置されている。このため、カップホルダ１０がコンソールパネル２に組付けられた状態では、一方のリテーナ１１の収容空間１１ａが２つの上面開口３のうちの一方に臨み、他方のリテーナ１１の収容空間１１ａが２つの上面開口３のうちの他方に臨むようになっている。
【００３６】
トレイ１２は、コンソールパネル２の上面開口３よりも僅かに径が小さい円板状の部材である。このトレイ１２は、対応した上面開口３から導入されてリテーナ１１の収容空間１１ａに収容された飲料容器を下方から支持する機能を有する。詳細については後述するが、このトレイ１２は、トレイ昇降機構（図４中のトレイ昇降機構１４を参照）によってリテーナ１１の収容空間１１ａを上昇位置Ｐ１（図２参照）と下降位置Ｐ２（図３参照）との間で昇降可能になっている。
【００３７】
図２に示されるように、トレイ１２は、その上昇位置Ｐ１において、対応した上面開口３の位置まで上昇して、この上面開口３を塞ぐ蓋となるように構成されている。このとき、上昇位置Ｐ１にあるトレイ１２は、コンソールパネル２のパネル表面と概ね面一になる。この場合、トレイ１２の上面は、コンソールパネル２の意匠面の一部を形成する。
【００３８】
これに対して、図３に示されるように、トレイ１２が下降位置Ｐ２にあるとき、対応したリテーナ１１の収容空間１１ａが上面開口３を通じて開放されるように構成されている。このとき、上面開口３から導入された飲料容器を、トレイ１２によって下方から支持した状態でリテーナ１１の収容空間１１ａに収容することができる。
【００３９】
図３に示されるように、リテーナ１１の収容空間１１ａに３つの干渉部材１７が設けられている。これら３つの干渉部材１７は、リテーナ１１の周方向に沿って概ね等間隔で配置されている。詳細については後述するが、各干渉部材１７は、トレイ１２が上昇位置Ｐ１に向けて上昇するときにこのトレイ１２に干渉するように構成されている。
なお、干渉部材１７の数を必要に応じて３つ以外に変更することもできる。
【００４０】
図４に示されるように、トレイ昇降機構１４は、付勢装置１５と、ロック装置１６と、を備えている。
【００４１】
付勢装置１５は、特に図示しないものの、ばね部材を使用して構成されており、このばね部材の弾性付勢力を利用してトレイ１２を下降位置Ｐ２から上昇位置Ｐ１に向けて上向きに常時に付勢する機能を有する。
なお、この機能を実現するために、ばね部材に代えて電磁コイルやアクチュエータなどの手段を使用して付勢装置１５を構成することもできる。
【００４２】
この付勢装置１５によれば、トレイ１２は、ばね部材の弾性付勢力を上回る下向きの外部荷重を受けていないときや、昇降動作がロックされていないときには、このばね部材の弾性付勢力にしたがって上昇位置Ｐ１へと上昇するように構成されている。
【００４３】
ロック装置１６は、トレイ１２を下降位置Ｐ２でロックするロック部材１６ａと、ロック部材１６ａによるトレイ１２のロックを解除するために手動で操作されるロック解除用の操作部材１６ｂと、ロック部材１６ａと操作部材１６ｂとの間に介装されたリンク機構１６ｃと、を備えている。
【００４４】
ロック部材１６ａは、トレイ１２が下降位置Ｐ２に到達したときにこのトレイ１２の外周端部１２ａに向けて突出するように構成されている。このとき、トレイ１２は、外周端部１２ａに設けられた係合孔１２ｂにロック部材１６ａが係合することによってロックされる。このロック部材１６ａは、リテーナ１１の収容空間１１ａにおいて後述の干渉開始位置Ａ（図１０参照）よりも高所に配置されている。
【００４５】
干渉部材１７は、リテーナ１１の内壁面１１ｂに開口形成された開口１１ｃを通じて、この内壁面１１ｂから径方向内方に向けてトレイ１２の通過領域Ｂまで突出している。ここで、通過領域Ｂは、平面視が円形のトレイ１２が昇降するときに通過する円柱状の領域である。
【００４６】
干渉部材１７は、傾斜面１７ｂと、回動点１７ｃと、を有する。傾斜面１７ｂは、トレイ１２が下降位置Ｐ２にあるときに突出先端部１７ａからリテーナ１１の内壁面１１ｂに近づくように斜め下向きに延在する部位である。突出先端部１７ａは、傾斜面１７ｂの一部を形成している。回動点１７ｃは、傾斜面１７ｂを挟んで突出先端部１７ａとは反対側に設けられた凸部によって構成されている。
【００４７】
干渉部材１７は、リテーナ１１に回動点１７ｃを中心に突出方向Ｄ１とこの突出方向Ｄ１の反対方向Ｄ２との双方向に角度θの範囲で回動可能に設けられている。この干渉部材１７は、弾性部材としてのばね部材１８によって突出方向Ｄ１に弾性付勢されている。
【００４８】
ばね部材１８は、一端が干渉部材１７の上部１７ｄに連結され、且つ他端がリテーナ１１に対して固定された固定部１９に連結されており、干渉部材１７に対して上部１７ｄを固定部１９から引き離すような押し出し荷重を常時に付与するようになっている。このため、干渉部材１７は、トレイ１２との干渉時にこのトレイ１２に干渉による抵抗となる弾性付勢力Ｆａを付与するように構成されている。
【００４９】
干渉部材１７は、トレイ１２と干渉しない状態では、ばね部材１８の弾性付勢力によって第１位置Ｑ１（二点鎖線で示される位置）に設定される。この第１位置Ｑ１では、干渉部材１７の上部に設けられたストッパ１７ｅがリテーナ１１に係合することによって、この干渉部材１７が第１位置Ｑ１に保持される。このとき、干渉部材１７は、リテーナ１１の内壁面１１ｂからの突出量Ｌ（「出代」ともいう。）が最大になるように構成されている。
【００５０】
一方で、この干渉部材１７は、トレイ１２と干渉したときにばね部材１８の弾性付勢力に抗して反対方向Ｄ２に最も回動した状態で第２位置Ｑ２（実線で示される位置）に設定される。この第２位置Ｑ２では、上昇位置Ｐ１にあるトレイ１２の外周端部１２ａに干渉部材１７の傾斜面１７ｂが当接することによって、この干渉部材１７が第２位置Ｑ２に保持される。このとき、干渉部材１７は、リテーナ１１の内壁面１１ｂからの突出量Ｌが最小になるように構成されている。
【００５１】
なお、干渉部材１７を弾性付勢する手段として、上記のばね部材１８に代えて、弾性を有するゴム材料からなる部材などの他の弾性部材を使用することもできる。
【００５２】
ここで、上記のカップホルダ１０の動作について、図５〜図１２を参照しながら説明する。なお、図７以外の図面で示されている１つの干渉部材１７の動きは、残りの２つの干渉部材１７の動きと同じであるため、以下では１つの干渉部材１７の動きについてのみ説明する。
【００５３】
（トレイの下降動作）
図５に示されるように、トレイ１２は、上昇位置Ｐ１（図４参照）においてその上面に付勢装置１５の弾性付勢力に打ち勝つ下向きの外部荷重Ｆｂが加えられることによって、下降位置Ｐ２へ向けて下降を開始する。このときの外部荷重Ｆｄは、飲料容器Ｃの自重にユーザによる押し下げ荷重が加わることによって、又はユーザによる押し下げ荷重のみによって生じる。
【００５４】
干渉部材１７は、トレイ１２が押し下げによって下降位置Ｐ２に向けて下降するとき、トレイ１２をばね部材１８の弾性付勢力Ｆａによって押圧することを利用してこのトレイ１２を下向きに付勢する機能を有する。即ち、トレイ１２は、その外周端部１２ａが弾性付勢力Ｆａの下向き成分によって下向きに付勢される。
【００５５】
これにより、トレイ１２が下降位置Ｐ２に向けて下降するときの下降動作をばね部材１８の弾性付勢力を利用してアシストすることができる。この場合、トレイ１２を押し下げるのに必要な荷重が少なくてすむためトレイ１２を下降位置Ｐ２に設定し易い。
【００５６】
その後、干渉部材１７は、リテーナ１１の収容空間１１ａに飲料容器Ｃが収容された状態でトレイ１２が押し下げによって下降位置Ｐ２に向けて下降するとき、トレイ１２から離れる。図６及び図７に示されるように、干渉部材１７は、第１位置Ｑ１と第２位置Ｑ２との間の保持位置Ｑ３で、ストッパ１７ｅがリテーナ１１から離れることによって、飲料容器Ｃの側面をばね部材１８の弾性付勢力によって押圧する。
【００５７】
これにより、トレイ１２が下降位置Ｐ２に向けて下降するときに、リテーナ１１の収容空間１１ａに収容された飲料容器Ｃを周方向に配置された３つ干渉部材１７の協働によって保持することができる。そして、３つの干渉部材１７による飲料容器Ｃの保持は、トレイ１２が下降位置Ｐ２に達するまで継続される。なお、ユーザが手のみでトレイ１２を押し下げるときはこの限りではない。
【００５８】
（トレイのロック動作）
図８に示されるように、トレイ１２が下降位置Ｐ２まで押し下げられると、ロック装置１６のロック部材１６ａがトレイ１２の外周端部１２ａに向けて突出してこの外周端部１２ａの係合孔１２ｂに係合する。これにより、トレイ１２が下降位置Ｐ２でロックされる。
【００５９】
（トレイのロック解除操作）
図９に示されるように、トレイ１２は、リテーナ１１の収容空間１１ａから飲料容器Ｃが取り除かれてロック装置１６の操作部材１６ｂがユーザの指Ｔで操作されることによって、下降位置Ｐ２でのロックが解除される。即ち、ロック部材１６ａは、操作部材１６ｂ
の操作に連動するリンク機構１６ｃによって引っ込む方向に動いて、トレイ１２の係合孔１２ｂとの係合を解除する。
【００６０】
なお、飲料容器Ｃがリテーナ１１の収容空間１１ａから取り除かれることによって、この飲料容器Ｃを保持していた干渉部材１７は、ばね部材１８の弾性付勢力にしたがって、回動点１７ｃを中心に保持位置Ｑ３から第１位置Ｑ１へと回動する。そして、干渉部材１７は、ストッパ１７ｅがリテーナ１１に係合することによって第１位置Ｑ１に保持される。
【００６１】
（トレイの上昇動作）
トレイ１２は、ロック部材１６ａによるロックが解除されることによって、付勢装置１５の弾性付勢力によって上昇位置Ｐ１へ向けて上昇を開始する。図１０に示されるように、干渉部材１７は、トレイ１２の下降位置Ｐ２と上昇位置Ｐ１との間に設定された干渉開始位置Ａにおいてその傾斜面１７ｂがトレイ１２の外周端部１２ａに当接し、上昇位置Ｐ１に向けて上昇するトレイ１２との干渉を開始する。
【００６２】
このとき、付勢装置１５の弾性付勢力がばね部材１８の弾性付勢力を上回るように設定されている。従って、トレイ１２は、ばね部材１８の弾性付勢力に抗して上昇位置Ｐ１へ向かう上昇動作を継続する。
【００６３】
図１１に示されるように、トレイ１２は、上昇位置Ｐ１に向けて上昇するときに干渉部材１７の傾斜面１７ｂを突出先端部１７ａに向けて摺動する。このとき、干渉部材１７は、通過領域Ｂを通過するトレイ１２との干渉時にこのトレイ１２に抵抗となるばね部材１８の弾性付勢力を付与する。これにより、干渉部材１７の傾斜面１７ｂがこの弾性付勢力によってトレイ１２の外周端部１２ａに押し付けられるため、トレイ１２の摺動時にこのトレイ１２に摩擦抵抗が付与される。
【００６４】
従って、トレイ１２は、干渉部材１７との干渉による抵抗を受けながら干渉部材１７との干渉前の上昇速度Ｖａを下回る低速度域Ｖｂで上昇位置Ｐ２まで上昇する。一方で、干渉部材１７は、トレイ１２から受ける荷重によってばね部材１８の弾性付勢力に抗して回動点１７ｃを中心に反対方向Ｄ２へ回動する。
【００６５】
このように、トレイ１２は干渉開始位置Ａよりも下方では上昇速度を低下させることなく上昇する。このため、干渉開始位置Ａから上昇位置Ｐ１までの必要な領域においてのみトレイ１２の上昇速度を低下させることができ、トレイ１２の上昇動作に要する時間が必要以上に増えるのを防ぐことができる。
【００６６】
最終的には、トレイ１２は上昇位置Ｐ１に到達し、干渉部材１７は第２位置Ｑ２に設定される（図４参照）。
【００６７】
ここで、トレイ１２が下降位置Ｐ２を基準として上昇位置Ｐ１に達するまでの、その上下方向の高さｈ［ｍｍ］と時間ｔ［ｓｅｃ］との関係について図１２を参照しながら説明する。
【００６８】
図１２に示されるように、トレイ１２は、下降位置Ｐ２から上昇速度Ｖａで上昇し、時間ｔ１で干渉開始位置Ａ（図１０参照）に相当する高さｈ１に到達する。その後、トレイ１２は、干渉部材１７との干渉による抵抗を受けながら上昇速度Ｖａを下回る低速度域Ｖｂで上昇し、時間ｔ２で操作部材１６ｂに相当する高さｈ２を通過した後、時間ｔ３で上昇位置Ｐ２に相当する高さｈ３に到達する。
【００６９】
次に、実施形態１の作用効果について説明する。
【００７０】
上記のカップホルダ１０において、昇降式のトレイ１２が上昇位置Ｐ１に向けて上昇するときにこのトレイ１２に干渉部材１７が干渉する。このとき、トレイ１２は、干渉部材１７から抵抗を受けることによってその上昇速度が低く抑えられる。
従って、このカップホルダ１０によれば、トレイ１２が上昇位置Ｐ１に達するまでにユーザがリテーナ１１の収容空間１１ａから指を抜き出す猶予時間が増え、リテーナ１１と上昇したトレイ１２との間で指が挟まれる可能性を下げることができる。
【００７１】
特に、ロック装置１６の操作部材１６ｂがリテーナ１１の収容空間１１ａにおいて干渉開始位置Ａよりも高所に配置されているため、トレイ１２が操作部材１６ｂに相当する位置まで上昇する前に干渉部材１７がトレイ１２との干渉を開始する。このとき、トレイ１２は、その上昇速度が干渉前よりも低下した状態で操作部材１６ｂに相当する位置を通過する。このため、ユーザは操作部材１６ｂの操作時にリテーナ１１の収容空間１１ａから指を抜き出す動作が遅れた場合であっても、リテーナ１１の収容空間１１ａと上昇したトレイ１２との間で指が挟まれる可能性が低下する。
【００７２】
従って、実施形態１によれば、昇降式のトレイ１２の上昇時に指が挟まれにくいカップホルダ１０を提供することができる。
【００７３】
また、仮にユーザが指を挟まれたとしても、このときの挟み込み荷重を干渉部材１７がトレイ１２と干渉しない構造に比べて小さくすることができる。ここで、指が挟まれるときに受けるエネルギーＥは、トレイ１２の質量をｍとし上昇速度をＶとしたとき、Ｅ＝（ｍ×Ｖ２）／２なる式で表される。即ち、エネルギーＥは、上昇速度Ｖの２乗に比例している。本実施形態では、この上昇速度Ｖを干渉部材１７との干渉によって低下させることができるため、干渉部材１７を使用しない場合に比べてエネルギーＥを低減させることができる。
【００７４】
また、実施形態１のカップホルダ１０において、干渉部材１７は、上昇時のトレイ１２に抵抗を付与する機能に加えて、下降時のトレイ１２の下降動作をアシストする機能と、飲料容器Ｃを保持する機能と、を有しており合理的である。
【００７５】
また、上記のカップホルダ１０によれば、各干渉部材１７からトレイ１２に付与される弾性付勢力を適宜に設定することによって、トレイ１２の上昇速度を調整することができる。
【００７６】
また、上記のカップホルダ１０によれば、干渉部材１７がトレイ１２に弾性付勢力を付与するための構造を、ばね部材１８を用いて簡素化できる。
【００７７】
また、上記のカップホルダ１０によれば、トレイ１２が干渉部材１７の傾斜面１７ｂを摺動することによってこの傾斜面１７ｂに沿って抵抗を受けながら上昇するため、各干渉部材１７によってトレイ１２に抵抗を与えつつもそのトレイ１２の上昇動作の円滑化を図ることができる。
【００７８】
また、上記のカップホルダ１０によれば、飲料容器Ｃを支持するトレイ１２を、コンソールパネル２の上面開口３を塞ぐための蓋として兼用することができる。
【００７９】
なお、実施形態１に類似の変更例として、干渉部材１７がリテーナ１１に対して固定されており、トレイ１２との干渉時に回動させずに摺動による摩擦抵抗のみを付与する構造を採用することもできる。
【００８０】
また、実施形態１に類似の別の変更例として、干渉部材１７の形状や数、ばね部材１８による弾性付勢力の強さなどを適宜に変更することによって、トレイ１２の下降動作をアシストする機能を強化した構造を採用することもできる。本構造によれば、トレイ１２が外部荷重Ｆｂによって下降を開始した後に下降位置Ｐ２まで下降する動作を自動化できる。
【００８１】
以下、上記の実施形態１に関連する他の実施形態について図面を参照しつつ説明する。他の実施形態において、実施形態１の要素と同一の要素には同一の符号を付しており、当該同一の要素についての説明は省略する。
【００８２】
（実施形態２）
図１２に示されるように、実施形態２のカップホルダ１１０は、干渉部材１１７がねじ部材１１８によってリテーナ１１に固定されるとともに、この干渉部材１１７自体が撓み変形可能な弾性体によって構成されている点で、実施形態１のカップホルダ１０と相違している。
【００８３】
干渉部材１１７は、トレイ１２との干渉時に、このトレイ１２に干渉による抵抗となる弾性付勢力を付与するように構成されており、実施形態１における干渉部材１７及びばね部材１８の双方の機能を兼ねている。
【００８４】
その他の構成は、実施形態１と同様である。
【００８５】
実施形態２のカップホルダ１１０によれば、干渉部材１１７を弾性付勢するためのばね部材を省略することができ、構造を簡素化できる。
その他、実施形態１と同様の作用効果を奏する。
【００８６】
本発明は、上記の実施形態のみに限定されるものではなく、本発明の目的を逸脱しない限りにおいて種々の応用や変更が考えられる。例えば、上記の実施形態を応用した次の各形態を実施することもできる。
【００８７】
上記の実施形態では、トレイ１２の上昇位置Ｐ１と下降位置Ｐ２との間に干渉開始位置Ａを設定する場合について例示したが、これに代えて、下降位置Ｐ２を干渉開始位置Ａに設定することもできる。この場合、干渉部材１７，１１７は、トレイ１２の上昇開始時からこのトレイ１２に干渉することになる。
【００８８】
上記の実施形態では、干渉部材１７，１１７が、上昇時のトレイ１２に抵抗を付与する機能（以下、「第１機能」という。）と、下降時のトレイ１２の下降動作をアシストする機能（以下、「第２機能」という。）と、飲料容器Ｃを保持する機能（以下、「第３機能」という。）と、を有する場合について例示したが、干渉部材１７，１１７は、少なくとも第１機能を有していれば足りる。従って、干渉部材１７，１１７において、３つの機能のうち第２機能及び第３機能のうちの少なくとも一方を省略することもできる。
【００８９】
上記の実施形態では、リテーナ１１の収容空間１１ａにロック装置１６の操作部材１６ｂが配置されるカップホルダ１０，１１０について例示したが、これに代えて、トレイ１２が操作部材１６ｂの機能を兼ね備えており、下降位置Ｐ２にあるトレイ１２が押し下げられることによってこのトレイ１２のロックが解除されるような構造を採用することもできる。
【００９０】
また、ロック装置１６の操作部材１６ｂがリテーナ１１の外部に配置された構造を採用することもできる。本構造の場合は、リテーナ１１の収容空間１１ａに指を挿入して操作部材１６ｂを操作することはないが、その他の理由でリテーナ１１の収容空間１１ａに指を挿入することも想定されるため、収容空間１１ａにおいて指の挟み込みを防ぐための干渉部材１７，１１７は効果がある。
【００９１】
上記の実施形態では、干渉部材１７，１１７がトレイ１２の外周端部１２ａに干渉する場合について例示したが、これに代えて、トレイ１２のうち外周端部１２ａ以外の部位や、トレイ１２に一体状に固定されて実質的にトレイ１２の一部を構成する要素に干渉部材１７，１１７が干渉する構造を採用することもできる。この場合、干渉部材１７，１１７に相当する部材をリテーナ１１のうち収容空間１１ａ以外の領域に設け、この領域で干渉部材１７，１１７に相当する部材がトレイ１２に干渉するようにしてもよい。
【００９２】
上記の実施形態では、カップホルダ１０，１１０のトレイ１２がコンソールパネル２の上面開口３の位置まで上昇して、この上面開口３を塞ぐ蓋となる場合について例示したが、これに代えて、トレイ１２がコンソールパネル２の上面開口３よりも下方の位置までしか上昇しない構造を採用することもできる。
【００９３】
上記の実施形態では、車両のコンソールパネル２に組付けられるカップホルダ１０，１１０について例示したが、これらのカップホルダ１０，１１０の構造を、車両のうちコンソールパネル２以外の他の部位に組付けられるカップホルダや、会議場、劇場、映画館などの屋内施設に配置されるシート等に装着されるカップホルダに適用することもできる。
【符号の説明】
【００９４】
２  コンソールパネル
３  上面開口
１０，１１０，２１０  カップホルダ
１１  リテーナ（ホルダ本体）
１１ａ  収容空間
１１ｂ  内壁面
１２  トレイ
１６ａ  ロック部材
１６ｂ  操作部材
１７  干渉部材
１７ａ  突出先端部
１７ｂ  傾斜面
１７ｃ  回動点
１８  ばね部材（弾性部材）
Ａ  干渉開始位置
Ｂ  通過領域
Ｃ  飲料容器
Ｄ１  突出方向
Ｄ２  反対方向
Ｆａ  弾性付勢力
Ｐ１  上昇位置
Ｐ２  下降位置
Ｖａ  上昇速度
Ｖｂ  低速度域
【図１】
2019073186.tif 000003
【図２】
2019073186.tif 000004
【図３】
2019073186.tif 000005
【図４】
2019073186.tif 000006
【図５】
2019073186.tif 000007
【図６】
2019073186.tif 000008
【図７】
2019073186.tif 000009
【図８】
2019073186.tif 000010
【図９】
2019073186.tif 000011
【図１０】
2019073186.tif 000012
【図１１】
2019073186.tif 000013
【図１２】
2019073186.tif 000014
【図１３】
2019073186.tif 000015